(57)【要約】【課題】素材に有害物質を含まず、製造されて廃棄されるまでの間にも有害な物質を発生させず、優れた滑り止め機能を備えた作業性のよい作業用手袋を提供する。【解決手段】手袋本体１２の表面に、アクリル酸エステル共重合体水性エマルジョンと架橋剤との混合物からなる滑り止め部２２を有する。手袋本体１２は、アクリロニトリルを含むアクリル繊維で編み上げられたものである。滑り止め部は、アクリル酸エステル共重合体水性エマルジョン９８〜９０質量％、架橋剤２〜１０質量％からなる混合物である。【選択図】図１
2010013744.tif 000002
【特許請求の範囲】
【請求項１】
手袋本体の表面に、アクリル酸エステル共重合体水性エマルジョンと架橋剤との混合物からなる滑り止め部を有することを特徴とする作業用手袋。
【請求項２】
前記手袋本体は、アクリロニトリルを含むアクリル繊維で編み上げられたことを特徴とする請求項１記載の作業用手袋。
【請求項３】
前記滑り止め部は、アクリル酸エステル共重合体水性エマルジョン９８〜９０質量％、架橋剤２〜１０質量％からなる混合物であることを特徴とする請求項１または２記載の作業用手袋。
【請求項４】
前記アクリル酸エステル共重合体水性エマルジョンは、アクリレート、メタクリレート、不飽和カルボン酸またはアクリロニトリルである単量体組織物を、反応性官能基を持つノニオン性乳化剤、アニオン性乳化剤またはノニオンおよびアニオン性乳化剤の存在下に水中で重合してなることを特徴とする請求項３記載の作業用手袋。
【請求項５】
前記架橋剤は、メラニン、エポキシ、カルボジイミドまたはイソシアネートであることを特徴とする請求項３記載の作業用手袋。
【発明の詳細な説明】
【技術分野】
【０００１】
この発明は、各種の作業を行う際に手に装着して使用する作業用手袋に関し、特に、滑り止めを有する作業用手袋に関する。
【背景技術】
【０００２】
建設作業や運搬作業等に使用される作業用手袋には、綿等の生地糸を手袋状に編み上げた手袋本体の表面に、物を掴むときに滑らないように手の平部分等に滑り止め用部材が設けられたものがある。従来の一般的な作業用手袋では、滑り止め用部材として、ニトリルブタジエンゴム（以下、ＮＢＲと称す）や塩化ビニル（以下、ＰＶＣと称す）等の材料が用いられていた。
【０００３】
また、特許文献１には、滑り止め用部材の素材として、メタクリル酸アルキル共重合体とフタル酸ジイソノニルとの混合物からなるアクリル樹脂を用いた原子力発電所内作業用手袋が開示されている。
【特許文献１】特開２００７−２０４９０４号公報
【発明の開示】
【発明が解決しようとする課題】
【０００４】
しかし、従来の一般的な作業用手袋は、使用後に焼却処理されると、滑り止め用部材のＮＢＲに起因して硫黄酸化物や窒素化合物等の有害物質が多く発生するという問題があった。また、ＰＶＣの場合は塩素を多く含んでいるため、焼却処理に伴うダイオキシン類の発生源の一つとなっていた。
【０００５】
一方、特許文献１の原子力発電所内作業用手袋の滑り止め用のアクリル樹脂は、メタクリル酸アルキル共重合体に、油性の可塑剤としてフタル酸ジイソノニル等のフタル酸エステルを混合して生成されたものである。従って、フタル酸エステルは環境ホルモン物質として内分泌攪乱作用や発ガン作用等を有した有害物質であるので、作業用手袋の製造時に気化して手袋製造作業者の健康を害するおそれがあった。
【０００６】
この発明は、上記背景技術の問題点に鑑みてなされたものであり、素材に有害物質を含まず、製造されて廃棄されるまでの間にも有害な物質を発生させず、優れた滑り止め機能を備えた作業性のよい作業用手袋を提供することを目的とする。
【課題を解決するための手段】
【０００７】
本発明は、手袋本体の表面に、アクリル酸エステル共重合体水性エマルジョンと架橋剤との混合物からなる滑り止め部を有する作業用手袋である。
【０００８】
また、前記手袋本体は、アクリロニトリルを含むアクリル繊維で編み上げられたものであってもよい。
【０００９】
また、前記滑り止め部は、アクリル酸エステル共重合体水性エマルジョン９８〜９０質量％、架橋剤２〜１０質量％からなる混合物であることが好ましい。
【００１０】
また、前記アクリル酸エステル共重合体水性エマルジョンは、アクリレート、メタクリレート、不飽和カルボン酸またはアクリロニトリルである単量体組織物を、反応性官能基を持つノニオン性乳化剤、アニオン性乳化剤またはノニオンおよびアニオン性乳化剤の存在下に水中で重合してなることが好ましい。
【００１１】
さらに、前記架橋剤は、メラニン、エポキシ、カルボジイミドまたはイソシアネートであることが好ましい。
【発明の効果】
【００１２】
本発明の作業用手袋によれば、滑り止め部の素材自体に有害物質を含まず、作業用手袋の製造過程において有害物質を使用する必要がなく、さらに、使用後に作業用手袋を焼却処理したときにも有害物質の発生量が少なく、環境にやさしい。
【００１３】
また、作業用手袋を焼却処理する際の総発熱量が少ないので、焼却炉を傷めにくい。さらに、アクリル繊維製の手袋本体に上記滑り止め部を設けることによって、焼却時の灰分を極力少なくすることができる。
【発明を実施するための最良の形態】
【００１４】
以下、この発明の実施形態について図面に基づいて説明する。図１はこの発明の一実施形態を示すもので、この実施形態の作業用手袋１０は、綿等の生地糸を手袋状に編み上げた手袋本体１２が設けられている。手袋本体１２は手の平部１４と手の甲部１６が筒状に形成され、手の平部１４と手の甲部１６の一方の端部には５本の指部１８が形成されている。手の平部１４と手の甲部１６の他方の端部には、筒状の手首部２０が設けられ、手首部２０は伸縮性が高い織り方で手首にフィットするように作られている。そして、作業用手袋１０の手の平部１４と、指部１８の手の平部１４側の面には、例えば直径３ｍｍ程度の半球形状滑り止め部２２が、４ｍｍ程度のほぼ均一な間隔で設けられている。
【００１５】
滑り止め部２２は、アクリル酸エステル共重合体水性エマルジョン９８〜９０質量％、架橋剤２〜１０質量％の混合物からなる乳化状のアクリル樹脂を、手袋本体１２の表面に塗布または印刷し、所定の条件で乾燥させたものである。
【００１６】
アクリル酸エステル共重合体水性エマルジョンは、アクリレート、メタクリレート、不飽和カルボン酸またはアクリロニトリルである単量体組織物を、反応性官能基を持つノニオン性乳化剤、アニオン性乳化剤またはノニオンおよびアニオン性乳化剤の存在下に水中で重合したものが用いられている。混合物として、酢酸ビニル、スチレンまたは変性エチレン等が含まれていてもよい。また、架橋剤は、メラニン、エポキシ、カルボジイミドまたはイソシアネートを用いることが好ましい。
【００１７】
以上のような組成と配合にすることによって、油性の可塑剤であるフタル酸ジイソノニル等の有害物質を用いることがなく、作業用手袋の製造時に作業者の健康に害を及ぼすおそれはない。しかも、乳化したアクリル樹脂を手袋本体１２の表面に塗布等したときの形状が適切に維持され、作業性のよい手頃な乾燥条件で硬化させることができ、さらに仕上がり状態においては、適切な摩擦係数を有し、優れた滑り止め効果を備えた滑り止め部２２を形成することができる。
【００１８】
なお、この発明の作業用手袋は、上記実施形態に限定されず、手袋本体１２の生地糸は綿のほか、有害物質を含まない素材であれば、アクリロニトリルを主原材料としたアクリル繊維、ポリエステル繊維その他の合成繊維などでもよい。例えば、上記アクリル繊維を用いた手袋本体１２の表面に滑り止め部２２を設けた作業用手袋であれば、焼却処分後の灰分量を一層少なくすることができる。
【００１９】
また、滑り止め部２２の配置は、用途に応じて自由に選択でき、例えば、手袋本体１２の表面の全体に設けたり、人の手が挿入される裏面側の手の平と接する部位等に設けてもよい。また、滑り止め部２２の形状についても自由に選択でき、半球形状、楕円形状、線状など、特に限定されない。色等も自由にデザインすることができる。
【実施例１】
【００２０】
次に、本発明の滑り止め部２２の一実施例の素材と、従来用いられていたＮＢＲについて、燃焼試験を行って発生物質の成分分析を行った。この実施例では、滑り止め部２２の素材は、アクリル酸エステル共重合体水性エマルジョンで、アクリレート（９９〜９０質量％の範囲で、例えば９５質量％）、架橋剤がカルボジイミド（1〜１０質量％の範囲で、例えば５質量％）のものを用いている。試験方法は、ＪＩＳ  Ｋ  ２５４１  に準拠した燃焼管式空気法であり、燃焼条件は、燃焼温度８５０±５０℃、送気量３００ｍｌ／ｍｉｎ（Ａｉｒ）である。また、各成分の検出方法は、イオンクロマトグラフ法を用いた。
【００２１】
表１の成分分析結果によれば、滑り止め部２２は、ＮＢＲに比較して硫黄酸化物の発生量が大幅に低減された。また、ふっ化水素、塩化水素、臭化水素といった有害物質の発生量も検出下限値以下であった。従って、本実施形態の滑り止め部２２を使用すれば、焼却処分しても有害物質の発生が少ない、環境にやさしい作業用手袋を実現することができる。
【表１】
2010013744.tif 000003
【００２２】
また、同様に、総発熱量試験と燃焼後の灰分量の測定を行った。総発熱量は、ＪＩＳ  Ｍ  ８８１４  に準拠してボンブ熱量計により測定した。灰分は、８５０℃強熱残分である。その結果を表２に示す。
【表２】
2010013744.tif 000004
【００２３】
表２の測定結果によれば、滑り止め部２２は、ＮＢＲに比較して総発熱量が低減された。従って、本実施形態の滑り止め部２２を使用すれば、作業用手袋を焼却処分するときの発熱量が少ないので、焼却炉などの焼却用設備が傷みにくくなる。
【図面の簡単な説明】
【００２４】
【図１】この発明の一実施形態の作業用手袋の正面図である。
【符号の説明】
【００２５】
１０  作業用手袋
１２  手袋本体
２２  滑り止め部
【図１】
2010013744.tif 000005